(57)【要約】【課題】低コストで製造でき、デザイン性が高く、壊れにくい遊技機を提供する。【解決手段】遊技機は、意匠部材６１と、意匠部材６１が取り付けられるベース部材６４と、ベース部材６４が取り付けられる取付部２１０と、を備え、ベース部材２１０は、意匠部材６１に固定される第一固定部１３５と、取付部２１０に固定される第二固定部１４５と、第一固定部１３５と第二固定部１４５との間に配置され、ベース部材２１０の剛性を高める補強部１５１，１５５と、を備えるので、低コストで製造でき、デザイン性を高め、壊れにくくすることができる。【選択図】図９
2018192079.tif 000002
【特許請求の範囲】
【請求項１】
意匠部材と、当該意匠部材が取り付けられるベース部材と、当該ベース部材が取り付けられる取付部と、を備える遊技機であって、
前記ベース部材は、前記意匠部材に固定される第一固定部と、前記取付部に固定される第二固定部と、当該第一固定部と当該第二固定部との間に配置され、前記ベース部材の剛性を高める補強部と、を備えることを特徴とする遊技機。
【発明の詳細な説明】
【技術分野】
【０００１】
本発明は、遊技機に関する。
【背景技術】
【０００２】
スロットマシンやパチンコ遊技機等の遊技機では、遊技機を装飾するための意匠部材が設けられることがある（例えば、特許文献１参照）。遊技機のデザインは機種ごとに異なるため、新たな機種が開発される際には、意匠部材も新たなものに変更されることが多い。
一方で、遊技機を構成する各部品の中には、以前の機種で用いられていた部品や複数の機種で汎用される部品である、いわゆる流用部品も多く存在する。このため、新たな意匠部材が、流用部品に取り付けられることがある。また、意匠部材は、意匠部材が取り付けられるベース部材に固定され組立体とされた上で、このベース部材が流用部品に固定され、流用部品に取り付けられることがある。
【先行技術文献】
【特許文献】
【０００３】
【特許文献１】特開２０１５−０５１２４１号公報
【発明の概要】
【発明が解決しようとする課題】
【０００４】
ところで、ベース部材の流用部品と固定される部分の位置は、流用部品の構造から決まってしまう一方、ベース部材の意匠部材と固定される部分の位置は、意匠部材のデザイン等から決まってしまうことがある。すなわち、ベース部材において、流用部品に固定される部分と、意匠部材に固定される部分とは、それぞれ自由に配置できないことがあり、この場合、ベース部材の、流用部品に固定される部分と、意匠部材に固定される部分とが、離れた位置に配置されてしまうことがある。
【０００５】
意匠部材に遊技者が触れる等して意匠部材に力がかかった場合に、この力は、ベース部材の意匠部材に固定されている部分に伝わる。そして、この力はベース部材を介してベース部材の流用部品に固定されている部分に伝わる。この際に、ベース部材の、流用部品に固定されている部分と、意匠部材に固定されている部分とが離れていると、ベース部材がたわんだり捻れたりしてしまい、この結果、ベース部材が歪んだり、意匠部材と他の部材との間に隙間ができたりしてしまうといったように遊技機が壊れてしまうおそれがある。
【０００６】
このような遊技機の破壊を防ぐ為に、ベース部材の、意匠部材に固定される部分と、流用部品に固定される部分、すなわち、ベース部材が取り付けられる部材に固定される部分とを、近づけて配置したりこれらの固定部分を共通化したりしてしまうことも考えられる。しかし、意匠部材におけるベース部材と固定される部分の配置を優先して意匠部材を設計すると、意匠部材のデザイン性を損なうおそれがある。また、ベース部材と、ベース部材が取り付けられる部材との固定部の配置を調整するために、ベース部材が取り付けられる部材として流用部品を用いず、その機種固有の部品を用いてしまうと、遊技機の製造コストが高くなってしまうおそれがある。
【０００７】
本発明は、前記事情に鑑みてなされたもので、低コストで製造でき、デザイン性が高く、壊れにくい遊技機を提供することを目的とする。
【課題を解決するための手段】
【０００８】
前記目的を達成するために、本発明の遊技機は、意匠部材と、当該意匠部材が取り付けられるベース部材と、当該ベース部材が取り付けられる取付部と、を備える遊技機であって、前記ベース部材は、前記意匠部材に固定される第一固定部と、前記取付部に固定される第二固定部と、当該第一固定部と当該第二固定部との間に配置され、前記ベース部材の剛性を高める補強部と、を備えることを特徴とする。
【０００９】
本発明においては、意匠部材はベース部材に取り付けられ、ベース部材は取付部に取り付けられる。また、ベース部材は、意匠部材に固定される第一固定部と、取付部に固定される第二固定部とを備えている。そして、ベース部材は、第一固定部と第二固定部との間に補強部を備えている。したがって、ベース部材の剛性、特に、第一固定部と第二固定部との間の剛性を高めることができる。
意匠部材に力が加えられた際に、この力は、第一固定部に伝わり、その後第二固定部に伝わるので、ベース部材においては、第一固定部と第二固定部との間に力がかかりやすくなる。しかし、本発明においては、第一固定部と第二固定部との間の剛性が高いため、ベース部材がたわんだり捻じれたりするのを防ぎ、遊技機を壊れにくくすることができる。
【００１０】
また、本発明においては、遊技機を壊れにくくするために第一固定部および第二固定部を近づけて配置する必要がないので、第一固定部および第二固定部の配置の自由度を阻害することがない。このため、第一固定部の配置に合わせて意匠部材をデザインする必要が無く、意匠部材のデザインに合わせて第一固定部を自由に配置することができるので、デザイン性の高い遊技機を実現することができる。また、取付部の位置に合わせて第二固定部を自由に配置することができるので、ベース部材が取り付けられる部材に流用部品等を用いることができ、遊技機を低コストで製造することができる。
【発明の効果】
【００１１】
本発明の遊技機によれば、低コストで製造でき、デザイン性を高め、壊れにくくすることができる。
【図面の簡単な説明】
【００１２】
【図１】本発明の実施の形態に係る遊技機の一例を示すもので、その斜視図である。
【図２】同、意匠ユニットおよび意匠ユニット取付ベースを示す分解斜視図である。
【図３】同、意匠部材を示すもので、後側から見た斜視図である。
【図４】同、レンズ群を示す分解斜視図である。
【図５】同、ベース部材を示すもので、前側から見た斜視図である。
【図６】同、ベース部材を示すもので、後側から見た斜視図である。
【図７】同、意匠ユニットおよび意匠ユニット取付ベースを示すもので、右側から見た断面図である。
【図８】同、意匠ユニット取付ベースを示すもので、前側から見た斜視図である。
【図９】同、ベース部材および意匠ユニット取付ベースを後側から見た図であって、（ａ）はベース部材を透過させて示した図であり、（ｂ）はベース部材を透過させずに示した図である。
【発明を実施するための形態】
【００１３】
以下、本発明の実施の形態について図面を参照して説明する。
まず、遊技機の概略構成について説明する。なお、以下では遊技機の一つであるスロットマシンについて説明するが、本発明に係る遊技機は、スロットマシンに限ることなく、パチンコ遊技機等のその他の遊技機であってもよい。
また、以下の説明においては、基本的に「前後」とは、スロットマシンの前側に遊技者が居る場合に、遊技者側が「前」で、スロットマシン側が「後」を意味し、「上下」とはスロットマシンの上面側が「上」で、下面側が「下」を意味し、「左右」とはスロットマシンを遊技する遊技者の左手側が「左」を意味し、右手側が「右」を意味する。
【００１４】
まず、発明が適用されるスロットマシンＸの概略構成について説明する。
図１はスロットマシンＸを示す斜視図である。このスロットマシンＸは、筐体１を備えており、この筐体１は、底板、左右の側板、天板および背板を備え、当該筐体１の正面側に開口する正面開口部を有する箱形に形成されている。なお、底板の上面には、図示は省略するが、各部品に電力を供給するための電源装置を内蔵した電源ユニット、メダルを貯留するとともにメダルを払い出す払い出し装置としてのホッパーユニット等が設けられている。
【００１５】
また、筐体１の正面には、筐体１の正面開口部を開閉可能に閉塞する前扉３が設けられており、この前扉３は、前記正面開口部の開口上部を開閉可能に閉塞する上扉３０と、開口下部を開閉可能に閉塞する下扉４０とを備えている。
前記筐体１内には、図示は省略するが、交換ユニットが着脱可能に設けられている。交換ユニットは、種々の部品を設置あるいは固定するための支持体としての枠体と、この枠体に固定されたリールユニットおよび基板ユニットとから構成されている。ここで、リールユニットは、周囲に複数の図柄を表示した３個の回転リールと、回転リールを回転させるための駆動モータ（ステッピングモータ）を有している。また、基板ユニットは、ＣＰＵ、ＲＯＭ、ＲＡＭ、Ｉ／Ｏ等の電子部品を備えた基板を、基板ケースに収納したものである。そして、基板ユニットは、スロットマシンＸの遊技を制御するための遊技制御装置として機能する。
【００１６】
図１に示すように、上扉３０の下部中央には、表示窓３１が設けられ、この表示窓３１の奥には、前記３個の回転リールが横一列に設けられている。各回転リールの外周面には複数種類の図柄が配列されており、回転リールが停止すると表示窓を通して１リール当たり３個の図柄が表示される。スロットマシンＸでは、横３本と斜め２本とからなる計５本の入賞有効ラインが設定されている。
そして、３個の回転リールが停止したときに入賞有効ライン上に停止した図柄の組み合わせによって当選役が入賞したか否かが表示される。
【００１７】
また、上扉３０の上部中央には、表示窓３１の上方に表示窓３２が設けられている。この表示窓３２は上扉３０に設けられた液晶パネルを有する画像表示装置の表示面を見るために設けられたものであり、この画像表示装置では、その表示面に遊技機における演出用の画像が表示されるようになっている。なお、画像表示装置は、演出用の画像を表示できるものであれば、液晶ディスプレイ以外のディスプレイであってもよい。
また、上扉３０の表示窓３２の上部には、報知や演出などを行うための照明装置３４，３５が前後に隣接して設けられ、表示窓３２と表示窓３１との間には報知や演出などを行うための横長の照明装置３６が設けられている。
また、上扉３０の左右両側部には、報知や演出などを行うための照明装置３７が合計４個設けられている。
【００１８】
また、上扉３０は、筐体１内に設けられた前記交換ユニットにヒンジを介して回動可能に連結されることで、筐体１の開口上部を開閉するようになっている。また、下扉４０は筐体１にヒンジを介して回動可能に連結されることで、筐体１の開口下部を開閉するようになっている。
【００１９】
なお、このスロットマシンＸは、分離型筐体タイプの構造を有するものであり、遊技店における機種の交換時に、上扉３０が回動自在に取り付けられた交換ユニットを交換するようになっており、機種の交換時に筐体１、下扉４０および筐体１内の電源ユニットやホッパーユニット等は、遊技店の島設備に取り付けられたままで、交換されないようになっている。また、スロットマシンＸは、分離型筐体タイプに限られるものではなく、機種交換時にスロットマシン全体を交換するものであってもよい。この場合に、前扉３を上扉３０と下扉４０とに分けない一体の構造としてもよい。また、上扉３０と下扉４０とに分ける場合に、上扉３０を、筐体１の側板にヒンジを介して回動自在に取り付けてもよい。
また、上扉３０の下端部には、下扉４０の前面より後方側で下扉４０の上端より下側に突出する係合部が設けられ、下扉４０が閉じた状態で、上扉３０を開放することができない構造になっている。
【００２０】
また、下扉４０の上部には、スロットマシンＸを操作するための操作部５０が設けられている。操作部５０には、クレジットされたメダルを払い出すための精算スイッチ５２、ゲームを開始させるためのスタートレバー５３、回転リールの回転を停止させるためのストップスイッチ５４、メダルを投入するためのメダル投入口４２、メダル投入口４２の下方のメダル通路内で発生したメダル詰まりを解消するリジェクトボタン５５、最大数の３枚のメダルをゲームに投資するときに操作されるＭＡＸベットスイッチボタン５６等が設けられる他、遊技の演出等を選択するための操作盤５７や、表示ユニット５８が設けられている。操作盤５７は操作部５０の幅方向（左右方向）の略中央部に配置され、メダル投入口４２およびリジェクトボタン５５を挟んで、右側に表示ユニット５８が配置されている。なお、操作盤５７には、演出等の選択用の十字キー、決定ボタン、キャンセルボタン等を有している。
【００２１】
また、下扉４０の下部には、スロットマシン内部よりメダルを排出するためのメダル払い出し口と、メダル払い出し口から排出されたメダルを溜めておくためのメダル受け皿４３とが形成されている。また、操作部５０とメダル受け皿４３との間には液晶表示パネル４５が取り付けられている。また、この液晶表示パネル４５の左右両側にはそれぞれ報知や演出などを行うための照明装置４６が設けられている。
【００２２】
照明装置３４は、意匠が施された意匠部材６１となっており、その内部に備えられた光源としてのＬＥＤにより発光するようになっている。また、照明装置３５は、図２に示すように、複数のレンズから構成されるレンズ群６２と、このレンズ群６２を照明するための照明基板６３と、意匠部材６１および照明基板６３が固定されるベース部材６４とを備えている。また、照明装置３４と照明装置３５とは一体化されており、これにより１つの意匠ユニット６０が構成されている。すなわち、意匠ユニット６０は、意匠部材６１としての照明装置３４と、複数のレンズから構成されるレンズ群６２と、このレンズ群６２を照明するための照明基板６３と、意匠部材６１および照明基板６３が固定されるベース部材６４とを備えている。
【００２３】
意匠部材６１は、前面の略全体が透光性を有する略平板状の透明な透光部６７となっている。また、透光部６７の後方には、ロゴとしての文字が描かれた透光性を有するシート状の部材が配置されている。そして、意匠部材６１の内部に備えられたＬＥＤの光によって、当該シート状の部材が照らされ、この照らされたシート状の部材が透光部６７を通して遊技者から視認可能な状態となっている。また、透光部６７は、当該シート状の部材に描かれた文字のうちの一部に対向する部分が前方に突出しており、文字状の図示しない突出部が形成されている。
【００２４】
また、透光部６７の周囲には、意匠部材６１を装飾する凹凸形状部６８が形成されている。凹凸形状部６８は、図３に示すように、意匠部材６１の前面の周縁部から側面の前側部分にかけて形成されており、意匠部材６１側面の凹凸形状部６８が形成された部分は、側方に突出した突出部６９となっている。また、突出部６９の後端面は、前後に凹凸した形状となっている。また、凹凸形状部６８には、金属（金）の薄膜が付されている。
【００２５】
また、意匠部材６１は、その後面に４つのボス７０と、角筒状突出部７１とを備えている。４つのボス７０は、意匠部材６１の後面に、後方に突出するようにして互いに離間して設けられている。また、４つのボス７０は、意匠部材６１の後面の縁部に沿って配置されているとともに、背面視における仮想略台形の４つの角部に配置されている。また、ボス７０は、前後に長尺であり、後方に向けて窄まった形状の円錐台の後ろに、この円錐台よりも径および高さが短くかつ後方に向けて窄まった形状の円錐台を、両円錐台の軸が一致するようにして並べた形状となっている。また、ボス７０にはネジ孔７０ａが形成されている。
また、角筒状突出部７１は、後方に向けて窄まった形状の略角筒状の突出部であり、意匠部材６１の後面の中央部に設けられている。また、角筒状突出部７１の後端部の左右両側には、後方に突出する突出片７２が設けられている。
【００２６】
意匠部材６１においては、前面側と凹凸形状部６８とが、スロットマシンＸを装飾する意匠部となっている。また、ボス７０および角筒状突出部７１は当該意匠部の後側に配置されており、ボス７０や角筒状突出部７１が前側から遊技者に見えないようにまたは見えにくいように、当該意匠部によって隠されている。
【００２７】
レンズ群６２は、意匠が施された意匠部材であり、スロットマシンＸを装飾する部材である。レンズ群６２は、図４に示すように、アウターレンズ８０と、第一インナーレンズ８１と、第二インナーレンズ８２と、第三インナーレンズ８３との４つのレンズから構成されている。第一インナーレンズ８１と、第二インナーレンズ８２と、第三インナーレンズ８３とは、前側からこの順に並べられており、これら３つのインナーレンズ８１，８２，８３によって、一つの形状（本実施の形態においては炎）を表す装飾体８４が構成されている。
第一インナーレンズ８１は濃い青色の透明の合成樹脂により形成されており、第二インナーレンズ８２は白色の半透明の合成樹脂により形成されており、第三インナーレンズ８３は、薄い青色の透明の合成樹脂により形成されている。また、これら３つのインナーレンズ８１，８２，８３は、互いに異なる形状となっており、それぞれが有する複数の開口部８１ａ，８２ａ，８３ａは、それぞれ、前方視においてずれた位置に配置されている。
【００２８】
アウターレンズ８０は、透明の合成樹脂により形成されており、装飾体８４を前側から覆う形状となっている。また、アウターレンズ８０の前面中央部には、意匠部材６１が嵌入される意匠部材取付部９０が設けられている。意匠部材取付部９０は、アウターレンズ８０の前面中央部に形成された凹部で、その内周面形状は、意匠部材６１の後側の外側面の形状と略一致している。また、意匠部材取付部９０の周縁部は、意匠部材６１の突出部６９の後端面と互いに当接または近接するように、当該後端面と同様の形状に凹凸している。
【００２９】
レンズ群６２は、照明基板６３および後述する照明基板２０２，２０２からの光によって発光するようになっている。装飾体８４を構成する３つのインナーレンズ８１，８２，８３は互いに異なる色を有しているとともに、互いに異なる形状となっているため、装飾体８４は、装飾体８４内の各位置によってインナーレンズどうしの重なり方が異なり、光が当てられた際に、インナーレンズどうしの重なり方によって異なる色に光るようになっている。また、装飾体８４は、互いに異なる形状のインナーレンズ８１，８２，８３を重ね合わせて構成されていることにより、単体のレンズで何らかの形状を表した場合に比べ立体的に見えるようになっている。また、アウターレンズ８０は、発光する装飾体８４を遊技者から見える状態で保護しつつ、スロットマシンＸを装飾している。
【００３０】
レンズ群６２は、アウターレンズ８０および３つのインナーレンズ８１，８２，８３を前後に貫通する正面視円形の貫通孔１００を４つ備えている。貫通孔１００は、３つのインナーレンズ８１，８２，８３の中央部およびアウターレンズ８０の意匠部材取付部９０の底面を通るように形成されており、正面視における仮想略台形の４つの角部に配置されている。そして、４つの貫通孔１００それぞれには、意匠部材６１の４つのボス７０それぞれが挿通されるようになっている。また、レンズ群６２は、その中央部に、アウターレンズ８０および３つのインナーレンズ８１，８２，８３を前後に貫通する正面視略長方形の貫通孔である長方形貫通孔１０１を備えている。すなわち、長方形貫通孔１０１は、３つのインナーレンズ８１，８２，８３の中央部およびアウターレンズ８０の意匠部材取付部９０の底面の中央部を通るように形成されている。そして、長方形貫通孔１０１には、角筒状突出部７１が挿通されるようになっている。
【００３１】
また、アウターレンズ８０および３つのインナーレンズ８１，８２，８３における４つの貫通孔１００それぞれの周縁には、前後に隣接するレンズ８０，８１，８２，８３と互いに当接する当接部１０５が形成されている（図７参照）。また、アウターレンズ８０および３つのインナーレンズ８１，８２，８３それぞれの左右両端部には、前後に隣接するレンズ８０，８１，８２，８３と互いに当接する当接部１０６が形成されている。そして、アウターレンズ８０と３つのインナーレンズ８１，８２，８３とは、前後に隣接するレンズ８０，８１，８２，８３の当接部１０５，１０６どうしを当接させた状態で前後に並べられている。なお、当接部１０６は、各レンズ８０，８１，８２，８３の左右両端部に形成されており、その面積は非常に小さいため、遊技者が当接部１０６を認識することは困難となっている。
【００３２】
照明基板６３は、図２に示すように、その前面に配置された複数の光源としてのＬＥＤ１２０と、その後面に配置された複数の図示しないコネクタと、その前面および後面に配置された複数の図示しない電子部品（例えば、集積回路、抵抗、コンデンサ等）と、を備えている。なお、当該コネクタは、他の電子回路基板と接続するための配線が繋がれるものであり、複数の当該コネクタのうちの１つに繋がれた配線は、表示や音声や照明による演出を制御するいわゆるサブ基板に繋がれており、このサブ基板から照明基板６３に電源や制御信号が送られ照明基板６３が点灯または消灯するようになっている。また複数の当該コネクタのうちの他のコネクタに繋がれた各配線は、照明基板６３の周囲の電子回路基板に繋がれており、照明基板６３を介して周囲の電子回路基板にサブ基板からの電源や制御信号が送られるようになっている。
【００３３】
また、照明基板６３には、レンズ群６２の４つの貫通孔１００のそれぞれに対向する位置に、意匠部材６１の４つのボス７０それぞれが挿通される貫通孔１２５または切欠部１２６が設けられている。また、照明基板６３の左右両端部にはそれぞれ、ネジを挿通させるためのネジ挿通孔１２７が設けられている。また、照明基板６３の中央部であって、レンズ群６２の長方形貫通孔１０１に対向する位置には、略十字状の貫通孔である十字状貫通孔１２８が設けられている。また、十字状貫通孔１２８の左右両端部には、意匠部材６１の角筒状突出部７１の突出片７２が挿入されるようになっている。
【００３４】
ベース部材６４は、意匠部材６１が取り付けられ意匠部材６１を支持する部材であるとともに、意匠部材６１および意匠部材としてのレンズ群６２を含む意匠ユニット６０のベースとなる部材である。ベース部材６４は、図５および図６に示すように、略長方形板状のベース板１３０と、ベース板１３０の左縁から前方に突出するように設けられた略長方形板状の左側板１３１と、ベース板１３０の右縁から前方に突出するように設けられた略長方形板状の右側板１３２と、ベース板１３０の下縁から前方に突出するように設けられた略長方形板状の下板１３３と、を備えており、透光性を有する青色の合成樹脂により一体的に形成されている。また、ベース板１３０と下板１３３との境目部分には、ベース板１３０から前方に突出するようにして、第三インナーレンズ８３と当接する当接部１３４が形成されている。また、当接部１３４は、その上面および前面が、断面のこぎり刃状に細かく凹凸している。なお、下板１３３の前端部は、当接部１３４よりも前方に突出している。
【００３５】
ベース板１３０の前面には、レンズ群６２の４つの貫通孔１００および照明基板６３の貫通孔１２５または切欠部１２６に対向する位置それぞれに、前方に突出する略円筒状の円筒状突出部１３５が設けられている。また、円筒状突出部１３５の筒内には、ボス７０の突出方向先端部が挿入されるようになっている。また、円筒状突出部１３５の中心部には、ネジを挿通させるためのネジ挿通孔１３５ａが形成されている。また、ベース板１３０の前面の左右両端部には、前方に突出するボス１３６が設けられている。また、ボス１３６には、ネジ孔１３６ａが形成されている。
【００３６】
また、ベース板１３０の中央部には、略Ｔ字状の貫通孔であるＴ字状貫通孔１４０が設けられている。また、Ｔ字状貫通孔１４０の左右両側には、Ｔ字状貫通孔１４０よりも小さい略長方形の貫通孔である長方形貫通孔１４１，１４１が設けられている。それぞれの長方形貫通孔１４１には、照明基板６３の後面に設けられた前記コネクタのうちの１つが挿入されるようになっており、長方形貫通孔１４１を通して当該コネクタがベース部材６４の後方に露出され、当該コネクタに配線を接続することが可能にされている。また、Ｔ字状貫通孔１４０には、照明基板６３の後面に設けられた前記コネクタのうちの４つが挿入されるようになっており、Ｔ字状貫通孔１４０を通して当該コネクタがベース部材６４の後方に露出され、当該コネクタに配線を接続することが可能にされている。また、Ｔ字状貫通孔１４０の一部は、照明基板６３の十字状貫通孔１２８に対向する位置に設けられており、Ｔ字状貫通孔１４０を通して十字状貫通孔１２８がベース部材６４の後方に露出されている。
【００３７】
ベース部材６４の前端部であって、正面視における四隅部には、締結具としてのネジによって後述する意匠ユニット取付ベース２００にベース部材６４を固定するための固定部１４５が設けられている。また、固定部１４５は、左側板１３１および右側板１３２の前端部から外側に突出するようにして、左側板１３１および右側板１３２に２つずつ、上下に離間して設けられている。また、固定部１４５は、左側板１３１または右側板１３２から外側に突出する板状の突出片１４６と、この突出片１４６を介して左側板１３１または右側板１３２に接合されている円筒状の円筒状部１４７とを備えている。なお、左側板１３１または右側板１３２と突出片１４６と円筒状部１４７とは一体的に形成されている。円筒状部１４７は、円筒の軸を前後方向に向けた状態となっており、円筒状部１４７の前端部は突出片１４６の前面よりも前方に突出しており、円筒状部１４７の後端部は突出片１４６の後面よりも後方に突出している。また、円筒状部１４７を構成する穴の後端部は、ネジがねじ込まれるネジ孔１４７ａとなっている。
【００３８】
ベース板１３０の前面および後面には、ベース部材６４の剛性を高めるための複数のリブ１５１（補強部）が立設されている。また、ベース板１３０は、正面視において、中央部分（Ｔ字状貫通孔１４０および長方形貫通孔１４１の周辺部分）および周縁部以外の部分が後方に凹んでおり、凹部１５２，１５３，１５４が形成されているが、これらの凹部１５２，１５３，１５４の側壁部もベース部材６４の剛性を高めるためのリブ１５５（補強部）となっている。
【００３９】
また、ベース板１３０における４つの円筒状突出部１３５それぞれと４つの固定部１４５それぞれとの間の部分には、上下に延在するリブ１５１またはリブ１５５と、左右に延在するリブ１５１またはリブ１５５との、互いに交差する２つ以上のリブ１５１，１５５が設けられている。換言すると、ベース板１３０における４つの円筒状突出部１３５それぞれと各円筒状突出部１３５に最も近接する固定部１４５との間の部分には、少なくとも１つ以上のリブ１５１またはリブ１５５が設けられている。
【００４０】
ベース部材６４には、照明基板６３の２つのネジ挿通孔１２７それぞれに挿通されたネジが、ベース部材６４のボス１３６のネジ孔１３６ａにねじ込まれることで、照明基板６３が固定されている。
【００４１】
また、意匠部材６１とレンズ群６２とベース部材６４とは、図７に示すように、意匠部材６１のボス７０により一体化されている。すなわち、まず、意匠部材６１は、その後面を意匠部材取付部９０の底面に当接させ、突出部６９の後端面を意匠部材取付部９０の周縁部に近接または当接させた状態で、意匠部材取付部９０に嵌入され、意匠部材取付部９０と嵌合している。また、意匠部材６１の４つのボス７０はそれぞれ、レンズ群６２の４つの貫通孔１００それぞれに挿通され、さらに照明基板６３の貫通孔１２５または切欠部１２６に挿通されている。また、４つのボス７０それぞれの突出方向先端の面は、ベース部材６４の４つの円筒状突出部１３５それぞれの底面に当接している。そして、円筒状突出部１３５のネジ挿通孔１３５ａに挿通されたネジ１６０がボス７０のネジ孔７０ａにねじ込まれることで、意匠部材６１が、ベース部材６４に固定されている。すなわち、ベース部材６４の円筒状突出部１３５は、締結具としてのネジ１６０によって意匠部材６１とベース部材６４とを固定するための固定部１３５となっている。
【００４２】
また、意匠部材６１の角筒状突出部７１は、レンズ群６２の長方形貫通孔１０１に挿通されており、角筒状突出部７１の後端面が照明基板６３の前面に当接するとともに、突出片７２が照明基板６３の十字状貫通孔１２８に挿入された状態となっている。
なお、角筒状突出部７１の内側には、意匠部材６１の内部に設けられた電子回路基板に繋がれる配線が通されるようになっており、この配線は、照明基板６３の後面の前記コネクタに繋がれている。そして、照明基板６３を介して前記サブ基板からの電源や制御信号が意匠部材６１内部の電子回路基板に送られ、意匠部材６１の内部のＬＥＤが光り、意匠部材６１が発光するようになっている。
【００４３】
また、意匠部材６１がベース部材６４に固定された状態において、レンズ群６２は、第三インナーレンズ８３の上部後端面がベース板１３０の上端部に当接しており、第三インナーレンズ８３の下部後端面が当接部１３４に当接している。また、アウターレンズ８０の下部後端面は、下板１３３の前端面と当接している。また、前述のように、レンズ群６２を構成するレンズ８０，８１，８２，８３は、前後に隣接するレンズ８０，８１，８２，８３の当接部１０５，１０６どうしを当接させた状態で前後に並べられている。なお、アウターレンズ８０の下部後端部と、下板１３３の前端部とは、互いに噛み合うように左右方向に凹凸した形状となっており、これらの凹凸した形状が意匠ユニット６０の意匠の一部を構成している。
【００４４】
このように、レンズ群６２は、互いに固定された意匠部材６１とベース部材６４とによって前後から挟まれることにより前後方向の動きが規制されている。また、レンズ群６２は、貫通孔１００に挿通されたボス７０および長方形貫通孔１０１に挿通された角筒状突出部７１によって、上下左右方向の動きが規制されている。以上のようにして、レンズ群６２は意匠部材６１およびベース部材６４に対して固定されており、意匠部材６１、レンズ群６２およびベース部材６４が意匠ユニット６０として一体化されている。
【００４５】
一体化された意匠ユニット６０は、意匠ユニット取付ベース２００に取り付けられている。意匠ユニット取付ベース２００は、上扉３０の左右方向略全域にわたる長さの左右に長い略直方体状の部材であり、上扉３０の上部に固定されている（図１参照）。また、意匠ユニット取付ベース２００の中央部には、図８に示すように、正面視略長方形状の開口部２０１が設けられている。また、意匠ユニット取付ベース２００の左右両端部の上部には、照明基板２０２，２０２が設けられている。また、照明基板２０２，２０２は、前面に光源としてのＬＥＤ２０３を複数備えており、前面を前方に向けた状態で意匠ユニット取付ベース２００に固定されている。なお、意匠ユニット取付ベース２００の左右両端部の下部には、報知や演出用の音声を流すためのスピーカ２０５，２０５が設けられている。
【００４６】
意匠ユニット取付ベース２００の前面側であって、略長方形状の開口部２０１の４つの角部には、開口部２０１側に突出するようにして、ベース部材６４が取り付けられるベース部材取付部２１０（取付部）が設けられている。また、意匠ユニット取付ベース２００およびベース部材取付部２１０は合成樹脂製であり、ベース部材取付部２１０は、意匠ユニット取付ベース２００と一体的に形成されている。
【００４７】
ベース部材取付部２１０は、ネジが挿通されるネジ挿通孔２１１を備えている。また、ベース部材取付部２１０は、開口部２０１側が円弧状となっている。また、上側の２つのベース部材取付部２１０は、その前面に、ネジ挿通孔２１１を囲うように、かつ前方に突出するように立設された正面視円環状のリブ２１２を備えている。また、下側の２つのベース部材取付部２１０は、その前面に、ネジ挿通孔２１１を囲うようにかつ開口部２０１側の円弧状部分に沿うようにして、前方に突出するように立設された正面視Ｊ字状のリブ２１３を備えている。また、リブ２１３は、Ｊ字の開口が下側を向くように配置されており、下側の２つのネジ挿通孔２１１は下側がリブ２１３に囲われていない状態となっている。また、下側の２つのベース部材取付部２１０は、ネジ挿通孔２１１の下側に、前方に突出する突出部２１４を備えている。また、突出部２１４のネジ挿通孔２１１側の面は、上側ほど後側に向かうように、水平面に対して傾斜した傾斜面となっている。
【００４８】
図９に、ベース部材６４の意匠ユニット取付ベース２００への取付状態を示す。ここで、図９は、ベース部材６４および意匠ユニット取付ベース２００を後側から見た図であるが、図９（ａ）は、ベース部材６４の前面に設けられたリブ１５１，１５５等の位置がわかりやすいように、ベース部材６４を透過させて示した図であり、図９（ｂ）は、ベース部材６４を透過させずに示した図である。
ベース部材６４は、締結具としてのネジ２２０によって、固定部１４５が意匠ユニット取付ベース２００のベース部材取付部２１０に締結されることにより、意匠ユニット取付ベース２００に取り付けられている。具体的には、４つの固定部１４５それぞれの円筒状部１４７の後端部は、４つのベース部材取付部２１０それぞれのリブ２１２，２１３の内側に嵌入され、円筒状部１４７の後端面はベース部材取付部２１０の前面に当接した状態となっている。そして、ベース部材取付部２１０のネジ挿通孔２１１に後側から挿通されたネジ２２０が、固定部１４５のネジ孔にねじ込まれることにより、ベース部材６４が意匠ユニット取付ベース２００に固定されている。そして、これにより、意匠ユニット６０が意匠ユニット取付ベース２００に固定されている。
【００４９】
このような構成の遊技機においては、意匠部材６１はベース部材６４に支持され、ベース部材６４は、ベース部材取付部２１０に取り付けられる。そして、これにより意匠部材６１が上扉３０に固定される。また、ベース部材６４は、意匠部材６１に固定される固定部としての円筒状突出部１３５と、ベース部材取付部２１０に固定される固定部１４５との間に、リブ１５１，１５５を備えている。したがって、ベース部材６４の剛性を高め、ベース部材６４そしてスロットマシンＸを壊れにくくすることができる。
【００５０】
また、リブ１５１，１５５によってベース部材６４の剛性を高めているため、固定部１４５の位置に関わらず、固定部としての円筒状突出部１３５を自由に配置することができる。したがって、固定部としての円筒状突出部１３５の配置を気にすることなく、意匠部材６１の意匠部を自由に設計することができるとともに、ベース部材６４に固定されるボス７０を意匠部によって隠れる位置に配置することができ、スロットマシンＸのデザイン性を高めることができる。
【００５１】
また、ベース部材取付部２１０の位置に合わせて固定部１４５を自由に配置することができるので、意匠ユニット取付ベース２００等に流用部品等を用いることができ、スロットマシンＸを低コストで製造することができる。
【００５２】
なお、リブ１５１，１５５は、ベース板１３０の前面側に突出するように設けられていてもよく、後面側に突出するように設けられていてもよい。また、リブ１５１，１５５（補強部）は、ベース部材６４の剛性を高められる形状であればよい。
また、本実施の形態においては、意匠部材６１および意匠部材としてのレンズ群６２は、光源の光により発光するものとしたが、光源を備えておらず、発光しないものであってもよい。
【符号の説明】
【００５３】
６１  意匠部材
６４  ベース部材
１３５  円筒状突出部（第一固定部）
１４５  固定部（第二固定部）
１５１，１５５  リブ（補強部）
２１０  ベース部材取付部（取付部）
【図１】
2018192079.tif 000003
【図２】
2018192079.tif 000004
【図３】
2018192079.tif 000005
【図４】
2018192079.tif 000006
【図５】
2018192079.tif 000007
【図６】
2018192079.tif 000008
【図７】
2018192079.tif 000009
【図８】
2018192079.tif 000010
【図９】
2018192079.tif 000011